(57)【特許請求の範囲】
【請求項１】
第１支持体と第２支持体の間に配置されるとともに該第１支持体に回転可能に取り付けられる制御扉と、
前記制御扉の上方又は下方に配置されるとともに前記第１支持体に回転可能に取り付けられる自由扉と、
前記制御扉に回転可能に取り付けられる連結具と、を備え、
前記連結具を回転して向きを変えることで、該連結具が前記自由扉又は前記第２支持体のいずれか一方と前記制御扉を連結し、
前記連結具によって前記制御扉と前記自由扉を連結することで、該制御扉と該自由扉が一体として回転し、
前記連結具によって前記制御扉と前記第２支持体を連結することで、該制御扉の回転を拘束するとともに該自由扉が独立して回転し得る、ことを特徴とする上下分割扉。
【請求項２】
前記制御扉と前記自由扉が設置される扉枠の一部が、前記第１支持体と前記第２支持体として形成され、
前記制御扉と前記自由扉を閉じると、前記扉枠内の空間が略閉鎖される、ことを特徴とする請求項１記載の上下分割扉。
【請求項３】
前記連結具の位置又は向きに基づいて前記制御扉の連結状態を示す表示体を、さらに備えたことを特徴とする請求項１又は請求項２記載の上下分割扉。
【請求項４】
２以上の前記制御扉が上下に並んで配置され、
２以上の前記制御扉それぞれに前記連結具が取り付けられ、
前記制御扉に隣接する前記制御扉に取り付けられた前記連結具は、上下に隣接する該制御扉どうしを連結する、
ことを特徴とする請求項１乃至請求項３のいずれかに記載の上下分割扉。
【発明の詳細な説明】
【技術分野】
【０００１】
本願発明は、鼠返しとして利用することができる扉に関するものであり、より具体的には、上下に分割されそれぞれが独立して開閉できる上下分割扉に関するものである。
【背景技術】
【０００２】
ペットショップや動物病院、あるいは実験室といった施設には、犬や猫、ウサギ、ネズミなどの小動物が置かれ、特定の室内から逃げ出さないよう出入り口に鼠返しが設けられることがある。
【０００３】
従来の鼠返しは、図８に示すように、必要なときに鼠返し板Ｐをガイド溝Ｇに嵌め込む構造であった。この鼠返し板Ｐは、対象とする小動物が飛び越えない程度の高さ（例えば、４０〜５０ｃｍ）とされ、上方からガイド溝Ｇに差し込むいわゆる落とし板方式で据えられる
【０００４】
また、鼠返し板Ｐが据えられた状態でもその上方空間は開放されており、人は鼠返し板Ｐを跨ぎながら出入り口を通過することができる構造となっている。そして、台車などを通す場合には、ガイド溝Ｇに沿って鼠返し板Ｐを上方に抜き取り、出入り口を全部開放していた。
【０００５】
しかしながら、鼠返し板Ｐを跨ぎながら通過するのは、当然ながら躓くおそれがあり、特に荷物等を手にしている場合には慎重に通過しなければならなかった。また、台車通過時には、鼠返し板Ｐを抜き取る手間が生じ、抜き取った鼠返し板Ｐを保管するスペースを用意する必要もあった。
【０００６】
そこで特許文献１では、このような従来の問題を解消すべく、左右２枚の板が回転可能に取り付けられた鼠返しを提案している。
【先行技術文献】
【特許文献】
【０００７】
【特許文献１】実用新案登録第３１９３１７３号公報
【発明の概要】
【発明が解決しようとする課題】
【０００８】
特許文献１で提案される鼠返しも、やはり２枚の板を跨ぎながら人が通過する構造であるが、足が板に掛かったとしても、その板が回転することで人が躓くことを防いでいる。ただし、板を回転可能な構造とすると、人の転倒等が防止できる反面、小動物が逃走する可能性を高めるという難点がある。
【０００９】
また、人は板を跨いで通過することから、その板の上方空間はやはり開放されている。しかしながら、小動物の逃走を完全に防止するため、あるいは入出制限すべく施錠可能とするため、室内を暗室とするため、などの理由から出入り口を閉鎖したいケースもあるが、特許文献１をはじめ従来技術ではこのような要求に応えることはできなかった。なお、出入り口を閉鎖するためには、通常の全面扉（ドア）を採用することが考えられるが、人が通過する際には出入り口が全開放されることとなり、つまり鼠返しが設けらない出入り口となり、その結果、小動物が逃走する機会が増えるという問題が生ずる。
【００１０】
本願発明の課題は、従来技術が抱える問題を解決することであり、すなわち、出入り口の空間を閉鎖することができるとともに、鼠返しとしても機能し得る上下分割扉を提供することである。
【課題を解決するための手段】
【００１１】
本願発明は、扉を上下に分割し、常時自由に回転する自由扉と、連結具によってその回転を拘束することができる制御扉で構成する、という点に着目してなされたものであり、これまでにない発想に基づいて行われたものである。
【００１２】
本願発明の上下分割扉は、制御扉と、自由扉、連結具を含んで構成されるものである。制御扉は、第１支持体（例えば、扉枠の一方）と第２支持体（例えば、扉枠の他方）の間に配置され、丁番等を用いて第１支持体に回転可能に取り付けられる。自由扉は、制御扉の上方（あるいは、下方）に配置され、やはり丁番等を用いて第１支持体に回転可能に取り付けられる。連結具は、制御扉に回転可能に取り付けられるものであり、回転してその向きを変えることで、連結具が自由扉又は第２支持体のいずれか一方と制御扉を連結する。連結具が制御扉と自由扉を連結した状態では、制御扉と自由扉が一体として回転し、連結具が制御扉と第２支持体を連結した状態では、制御扉の回転を拘束するとともに自由扉は独立して回転する。
【００１３】
本願発明の上下分割扉は、連結具が支持体連結具と扉連結具からなるものとすることもできる。支持体連結具が制御扉と第２支持体を連結した状態では、制御扉の回転が拘束され、支持体連結具による制御扉と第２支持体との連結を解除した状態では、制御扉は自由に回転できる。また、扉連結具が制御扉と自由扉を連結した状態では、制御扉と自由扉が一体として回転し、扉連結具による制御扉と自由扉との連結を解除した状態では、自由扉が独立して回転する。
【００１４】
本願発明の上下分割扉は、内部に空間を有する扉枠に設置するものとすることもできる。この場合、扉枠の一部（例えば、左側）が第１支持体として形成されるとともに、扉枠の一部（例えば、右側）が第２支持体として形成される。そして、制御扉と自由扉を閉じると扉枠内の空間が略閉鎖されるように、窓枠内に制御扉と自由扉は配置される。
【００１５】
本願発明の上下分割扉は、表示体を備えたものとすることもできる。この表示体は、連結具の位置や向きに基づいて制御扉の連結状態を示すものである。
【００１６】
本願発明の上下分割扉は、２以上の制御扉が上下に並んで配置されたものとすることもできる。この場合の連結具は、上下に隣接する制御扉と自由扉、又は上下に隣接する制御扉どうしを連結する。
【発明の効果】
【００１７】
本願発明の上下分割扉には、次のような効果がある。
（１）上下の扉を閉めると出入り口が閉鎖されることから、常時は小動物の逃走を完全に防止することができるうえ、入出制限のための施錠を扉に設けることもできる。
（２）制御扉を下方に、自由扉を上方に配置することによって、自由扉のみの開閉で人は出入りすることができる。また、人が出入りするときでも制御扉が鼠返しとして機能するため、その際の小動物の逃走を防ぐことができる。
（３）制御扉と自由扉を連結して開閉することができることから、台者等も容易に搬入できるうえ、従来のような落とし板の据え付けや抜き取りの手間が不要となり、しかも落とし板の保管スペースを設ける必要もない。
【図面の簡単な説明】
【００１８】
【図１】本願発明の上下分割扉を示す正面図。
【図２】連結具が制御扉と第２支持体を連結し、制御扉と自由扉との連結状態が解除された状態を示す斜視図。
【図３】連結具が制御扉と自由扉を連結し、制御扉と第２支持体との連結状態が解除された状態を示す斜視図。
【図４】（ａ）は回転式の連結具が制御扉と自由扉を連結した状態を示す斜視図、（ｂ）は回転式の連結具が制御扉と第２支持体を連結した状態を示す斜視図。
【図５】（ａ）は複合式の連結具が制御扉と自由扉を連結した状態を示す正面図、（ｂ）は複合式の連結具が制御扉と第２支持体を連結した状態を示す正面図。
【図６】制御扉を２段で構成した本願発明の上下分割扉を示す正面図。
【図７】２枚扉が両側に開く構造とした本願発明の上下分割扉を示す正面図。
【図８】従来の鼠返しの構造を示す斜視図。
【発明を実施するための形態】
【００１９】
本願発明の上下分割扉の実施形態の一例を、図に基づいて説明する。
【００２０】
１．全体概要
図１は、小動物が置かれた室内への出入口ＥＮ（枠線で示す）に設置された、本願発明の上下分割扉を示す正面図である。本願発明の上下分割扉は、自由扉１０と、制御扉２０、連結具３０を含んで構成される。この図に示すように出入口ＥＮに設けられた空間は、自由扉１０と制御扉２０で略閉鎖できる構造となっている。扉全体は、自由扉１０と制御扉２０の上下２層構造となっており、この図では制御扉２０の上段に自由扉１０が配置されている。
【００２１】
また、自由扉１０と制御扉２０は、左右にある第１支持体４１と第２支持体４２の間に配置され、自由扉１０、制御扉２０ともに第１支持体４１に回転可能に取り付けられている。具体的には、丁番５０などヒンジ構造の取り付け具を用い、自由扉１０や制御扉２０の側方（図では左側）と第１支持体４１を連結することで、自由扉１０や制御扉２０が鉛直軸周りに回転できるようにしている。このとき、それぞれ独立して回転できるように、自由扉１０と制御扉２０は別々に第１支持体４１に取り付けられる。なおこの図では、柱状の部材を用意して第１支持体４１、第２支持体４２としているが、出入口ＥＮの扉枠をそのまま利用し、例えば扉枠のうち左側の縦枠材を第１支持体４１とし、右側の縦枠材を第２支持体４２とすることもできる。
【００２２】
連結具３０は、制御扉２０と自由扉１０を連結し、制御扉２０と第２支持体４２を連結するものである。そして、連結具３０を操作することで、制御扉２０と自由扉１０との連結状態を解除し、制御扉２０と第２支持体４２との連結状態を解除することもできる。
【００２３】
図２は、連結具３０が制御扉２０と第２支持体４２を連結し、制御扉２０と自由扉１０との連結状態が解除された状態を示す斜視図である。この図に示すように、連結具３０が制御扉２０と第２支持体４２を連結していることから、制御扉２０は鉛直軸周りの回転が拘束されており、一方、自由扉１０は制御扉２０と連結されていないため自由に鉛直軸周りに回転できる。つまり、自由扉１０を開けて制御扉２０を跨ぐことで人は入退室でき、しかもそのとき制御扉２０が鼠返しとして機能することから、小動物の逃走も防ぐことができるわけである。もちろん入退室の用がないときは、自由扉１０と制御扉２０の両方を閉めることで、出入口ＥＮを閉鎖することができる。
【００２４】
図３は、連結具３０が制御扉２０と自由扉１０を連結し、制御扉２０と第２支持体４２との連結状態が解除された状態を示す斜視図である。この図に示すように、自由扉１０は第２支持体４２と連結されていないため自由に鉛直軸周りに回転できる。しかも、連結具３０が自由扉１０と制御扉２０を連結していることから、自由扉１０と制御扉２０は一体として鉛直軸周りを回転する。つまり、台車等で入退室する際など出入口ＥＮを全開放したい場合、自由扉１０と制御扉２０をそれぞれ別にあける必要がなく、例えば片手で押すだけで自由扉１０と制御扉２０が同時に開き、容易に出入口ＥＮを全開放することができる。
【００２５】
２．連結具
連結具３０は、制御扉２０と自由扉１０、制御扉２０と第２支持体４２を、それぞれ連結することができるものであれば、種々の構造のものを採用することができる。例えば、回転することでその向きを変える回転式の連結具３０や、支持体連結具と扉連結具からなる複合式の連結具３０などが挙げられる。以下、回転式の連結具３０と複合式の連結具３０について詳しく説明する。
【００２６】
（回転式の連結具）
図４は、回転式の連結具３０を説明する斜視図であり、（ａ）は連結具３０が制御扉２０と自由扉１０を連結した状態、（ｂ）は連結具３０が制御扉２０と第２支持体４２を連結した状態を示している。この図に示すように回転式の連結具３０は、係止体３０Ｔと表示体３０Ａと回転軸体３０Ｋを含んで構成されるものである。
【００２７】
係止体３０Ｔと表示体３０Ａは回転軸体３０Ｋに固定されており、その回転軸体３０Ｋは制御扉２０の一部に回転可能に取り付けられている。より具体的には、制御扉２０の表面（略鉛直な面）に対して略垂直な軸（つまり、略水平軸）周りに回転可能に回転軸体３０Ｋが取り付けられ、この回転軸体３０Ｋを回すことで係止体３０Ｔと表示体３０Ａがその向きを変える構造となっている。また、後述するように直接的には係止体３０Ｔが、制御扉２０と自由扉１０を連結し、制御扉２０と第２支持体４２を連結するため、係止体３０Ｔが自由扉１０に届き、かつ第２支持体４２に届く位置で、回転式の連結具３０は取り付けられる。
【００２８】
回転式の連結具３０を用いる場合は、図４（ａ）に示すように自由扉１０の底面１０Ｂに底溝ＧＢが設けられ、自由扉１０の側面１０Ｓ（第２支持体４２側）に側方溝ＧＵが、制御扉２０の側面２０Ｓ（第２支持体４２側）に側方溝ＧＬが、それぞれ設けられる。さらに、図４（ｂ）に示すように第２支持体４２の側面４２Ｓにも、側方溝ＧＳが設けられる。
【００２９】
これらの溝は、係止体３０Ｔが通過する空間を用意するためのものである。したがって、自由扉１０の底溝ＧＢと側方溝ＧＵは連続して（一連の溝となるように）形成され、自由扉１０と制御扉２０が上下に重なったときに自由扉１０の側方溝ＧＵと制御扉２０の側方溝ＧＬが連続するようこれらの溝（側方溝ＧＵと側方溝ＧＬ）は形成される。また、自由扉１０の側面１０Ｓと第２支持体４２の側面４２Ｓが重なったときに、自由扉１０の側方溝ＧＵと第２支持体４２の側方溝ＧＳが連続するようこれらの溝（側方溝ＧＵと側方溝ＧＳ）は形成され、同様に制御扉２０の側面２０Ｓと第２支持体４２の側面４２Ｓが重なったときに、制御扉２０の側方溝ＧＬと第２支持体４２の側方溝ＧＳが連続するようこれらの溝（側方溝ＧＬと側方溝ＧＳ）は形成される。
【００３０】
既述のとおり、係止体３０Ｔと表示体３０Ａの向きを変えるには回転軸体３０Ｋを回す必要があり、そのため回転軸体３０Ｋは制御扉２０の表面から突き出ている。表示体３０Ａは、係止体３０Ｔの向きを示すためのものであり、換言すれば回転式の連結具３０の連結状態を示すためのものである。したがって、図４にも示すように、その向きが明確となる形状（図では三角形）とし、他とは明確に異なる色（要は目立つ色）を付けるとよい。また表示体３０Ａは、常に外部から見える位置に設けられる必要があり、例えば制御扉２０の表面側に表示体３０Ａを設け、あるいは制御扉２０のうち表示体３０Ａの可動範囲を透明（半透明）な材質で構成するとよい。
【００３１】
係止体３０Ｔは、その一部が自由扉１０の底溝ＧＢに挿入されることで制御扉２０と自由扉１０を連結し、その一部が第２支持体４２の側方溝ＧＳに挿入されることで制御扉２０と第２支持体４２を連結する。自由扉１０と連結された制御扉２０は、自由扉１０と一体となって回転し、第２支持体４２と連結された制御扉２０は、その回転が拘束される。そのため係止体３０Ｔは、自由扉１０や制御扉２０が回転する力に対して抵抗し得る程度の強度を備えた構造にするとよい。
【００３２】
回転軸体３０Ｋを回し、図４（ａ）に示すように係止体３０Ｔを上方（１２時の方向）に向けると、係止体３０Ｔの一部が自由扉１０の底溝ＧＢに挿入される。このとき、係止体３０Ｔは自由扉１０の底溝ＧＢにのみ挿入されており、第２支持体４２の側方溝ＧＳからは外れている。つまり、連結具３０によって制御扉２０と自由扉１０は連結されているが、制御扉２０と第２支持体４２の連結は解除されている。また図４（ａ）の状態とすると、表示体３０Ａが自由扉１０の方向を示す向きとなり、制御扉２０が自由扉１０と連結状態にあることを見て取ることができる。
【００３３】
図４（ａ）の状態から回転軸体３０Ｋを右（時計回り）に回し、係止体３０Ｔを右横（３時の方向）に向けると、係止体３０Ｔの一部が第２支持体４２の側方溝ＧＳに挿入される。このとき、係止体３０Ｔは自由扉１０の底溝ＧＢから外れて、第２支持体４２の側方溝ＧＳにのみに挿入される。つまり、連結具３０によって制御扉２０と自由扉１０の連結は解除され、制御扉２０と第２支持体４２が連結された状態となる。また図４（ｂ）の状態とすると、表示体３０Ａが第２支持体４２の方向を示す向きとなり、制御扉２０が第２支持体４２と連結状態にあることを見て取ることができる。
【００３４】
（複合式の連結具）
図５は、複合式の連結具３０を説明する正面図であり、（ａ）は連結具３０が制御扉２０と自由扉１０を連結した状態、（ｂ）は連結具３０が制御扉２０と第２支持体４２を連結した状態を示している。この図に示すように複合式の連結具３０は、扉連結具３１と支持体連結具３２を含んで構成されるものである。
【００３５】
扉連結具３１は、舌板３１Ｔとこの舌板３１Ｔを収容する収容部３１Ｇからなる。舌板３１Ｔには突起部（図では円形部）が付いており、これを移動することで舌板３１Ｔは上下にスライドする。舌板３１Ｔがスライドして収容部３１Ｇの外に伸び出すと、その一部が隣接する扉内に挿入される。例えば、図５に示すように扉連結具３１が自由扉１０に設けられた場合、舌板３１Ｔが収容部３１Ｇに収められた状態（図５（ｂ））から、舌板３１Ｔを下方（図５（ａ）の矢印）にスライドすると、舌板３１Ｔの一部が制御扉２０内に挿入された状態（図５（ａ））となり、その結果、扉連結具３１によって自由扉１０と制御扉２０が連結される。
【００３６】
収容部３１Ｇに他とは明確に異なる色（要は目立つ色）を付けておくと、回転式の連結具３０で説明した表示体３０Ａの機能をこの収容部３１Ｇが果たすことができる。具体的には、舌板３１Ｔが収容部３１Ｇの外に伸び出した状態、すなわち舌板３１Ｔの一部が制御扉２０内に挿入された状態となると、収容部３１Ｇの着色部が表れ、これにより自由扉１０が制御扉２０と連結状態にあることを見て取ることができる。したがって、収容部３１Ｇの着色部は、常に外部から見える位置に設けられる必要がある。なお、扉連結具３１は、図５に示すように自由扉１０に設けることもできるし、これに代えて制御扉２０に設けることもできる。
【００３７】
支持体連結具３２は、扉連結具３１と同様、舌板３２Ｔとこの舌板３２Ｔを収容する収容部３２Ｇからなる。舌板３２Ｔには突起部（図では円形部）が付いており、これを移動することで舌板３２Ｔは左右にスライドする。舌板３１Ｔがスライドして収容部３２Ｇの外に伸び出すと、その一部が第２支持体４２（あるいは制御扉２０）内に挿入される。例えば、図５に示すように支持体連結具３２が制御扉２０に設けられた場合、舌板３２Ｔが収容部３２Ｇに収められた状態（図５（ａ））から、舌板３２Ｔを右方（図５（ｂ）の矢印）にスライドすると、舌板３２Ｔの一部が第２支持体４２内に挿入された状態（図５（ｂ））となり、その結果、支持体連結具３２によって制御扉２０と第２支持体４２が連結される。
【００３８】
扉連結具３１の収容部３１Ｇと同様、支持体連結具３２の収容部３２Ｇに他とは明確に異なる色（要は目立つ色）を付けておくと、回転式の連結具３０で説明した表示体３０Ａの機能をこの収容部３２Ｇが果たすことができる。具体的には、舌板３２Ｔが収容部３２Ｇの外に伸び出した状態、すなわち舌板３２Ｔの一部が第２支持体４２内に挿入された状態となると、収容部３２Ｇの着色部が表れ、これにより制御扉２０が第２支持体４２と連結状態にあることを見て取ることができる。したがって、収容部３２Ｇの着色部は、常に外部から見える位置に設けられる必要がある。なお、支持体連結具３２は、図５に示すように制御扉２０に設けることもできるし、これに代えて第２支持体４２に設けることもできる。
【００３９】
回転式の連結具３０を採用する場合、制御扉２０を鼠返しとし（つまり回転を拘束し）、自由扉１０のみが自由回転する状態、あるいは自由扉１０と制御扉２０が一体として回転する状態にするためには、回転式の連結具３０を操作（回転）するだけで足りる。一方、複合式の連結具３０を採用する場合、扉連結具３１と支持体連結具３２の位置が適切な組み合わせとなるようそれぞれ操作する必要がある。自由扉１０と制御扉２０が一体として回転する状態（図５（ａ））にするには、扉連結具３１の舌板３１Ｔを下方にスライドしてこの舌板３１Ｔを制御扉２０内に挿入するとともに、支持体連結具３２の舌板３２Ｔを左方にスライドしてこの舌板３２Ｔを収容部３２Ｇ内に収める。一方、制御扉２０を鼠返しとして自由扉１０のみが自由回転する状態（図５（ｂ））にするには、扉連結具３１の舌板３１Ｔを上方にスライドしてこの舌板３１Ｔを収容部３１Ｇ内に収めるとともに、支持体連結具３２の舌板３２Ｔを右方にスライドしてこの舌板３２Ｔを第２支持体４２内に挿入する。
【００４０】
３．自由扉と制御扉
ここまで、自由扉１０が上方に配置され、制御扉２０がその下方に配置される例で説明したが、本願発明の上下分割扉は、制御扉２０を上方に配置し、その下方に自由扉１０を配置することもできる。例えば、小動物が通行することを基本とする出入り口では、通常は上方の制御扉２０と第２支持体４２を連結しておき、小動物は下方の自由扉１０を利用して通行させる。そして台車等で通過する際には、自由扉１０と制御扉２０を連結して一体の扉として開閉するわけである。この場合、常時は制御扉２０で閉鎖されているため、外部から室内が見られない、あるいは人の入室を制限するための施錠が可能となる、といった効果が得られる。
【００４１】
また、制御扉２０は複数段の構成とすることもできる。図６は、制御扉２０を２段で構成した本願発明の上下分割扉を示す正面図である。この図では、最下段に第１の制御扉２０Ｌ、中段に第２の制御扉２０Ｕ、最上段に自由扉１０がそれぞれ配置された構成とされている。例えば、現時点で室内に置かれた小動物に対する鼠返しとしては、第１の制御扉２０Ｌの高さで十分であるものの、将来やや大きな小動物を室内に置く計画があり、その大きな小動物に対する鼠返しとしては第１の制御扉２０Ｌでは不十分であるとする。この場合、当初は第１の制御扉２０Ｌを利用し、小動物の大きさが変わった時点で、第１の制御扉２０Ｌと第２の制御扉２０Ｕを組み合わせて利用すれば便宜となるわけである。
【００４２】
第１の制御扉２０Ｌと第２の制御扉２０Ｕも、ここまで説明したとおり左右にある第１支持体４１と第２支持体４２の間に配置され、丁番５０などによって第１支持体４１に回転可能に取り付けられている。また、それぞれ独立して回転できるように、第１の制御扉２０Ｌと第２の制御扉２０Ｕは別々に第１支持体４１に取り付けられる。そして、この場合の連結具３０は、自由扉１０と第２の制御扉２０Ｕを連結し、第２支持体４２と第１の制御扉２０Ｌを連結するとともに、第２支持体４２と第２の制御扉２０Ｕを連結する。さらに連結具３０は、第１の制御扉２０Ｌと第２の制御扉２０Ｕを連結する必要もある。
【００４３】
回転式の連結具３０を採用する場合、第１の制御扉２０Ｌに連結具３０を取り付け、第２の制御扉２０Ｕにも連結具３０を取り付ける。複合式の連結具３０を採用する場合は、自由扉１０と第２の制御扉２０Ｕを連結するための扉連結具３１と、第１の制御扉２０Ｌと第２の制御扉２０Ｕを連結する扉連結具３１が必要であり、さらに第２支持体４２と第１の制御扉２０Ｌを連結する支持体連結具３２と、第２支持体４２と第２の制御扉２０Ｕを連結する支持体連結具３２が必要となる。
【００４４】
本願発明の上下分割扉は、ここまで説明したように片側のみに開く構造とすることもできるし、図７に示すように両側に開く構造とすることもできる。具体的には、自由扉１０を左右２枚の扉で構成するとともに、制御扉２０も左右２枚の扉で構成する。また、一方の（図７では左側）の自由扉１０Ｌと制御扉２０Ｌは第１支持体４１に回転可能に取り付けられ、他方の（図７では右側）の自由扉１０Ｒと制御扉２０Ｒは第２支持体４２に回転可能に取り付けられる。この場合も、それぞれ独立して回転できるように、左右の自由扉１０Ｒ，１０Ｌと左右の制御扉２０Ｒ，２０Ｌは別々に第１支持体４１や第２支持体４２に取り付けられる。
【００４５】
このケースでは、一方（図では、右の制御扉２０Ｒ）が第２支持体４２の一部として機能する。つまり、制御扉２０を鼠返しとして機能させる場合、左の制御扉２０Ｌに取り付けた連結具３０を、第２支持体４２としての右の制御扉２０Ｒに係止することで、左の制御扉２０Ｌが右の制御扉２０Ｒ（つまり、第２支持体４２）に連結され、左の制御扉２０Ｌの回転は拘束される。
【００４６】
なお、自由扉１０と制御扉２０が一体として回転する状態にするには、これまで説明したとおり、連結具３０を操作することで自由扉１０と制御扉２０を連結すればよい。ただし図７に示すように、左の制御扉２０Ｒに取り付けた連結具３０（回転式）によって、左の制御扉２０Ｌと左の自由扉１０Ｌを連結することはできるが、右の制御扉２０Ｒと右の自由扉１０Ｒを連結することはできない。右の制御扉２０Ｒと右の自由扉１０Ｒを連結するためには、右の自由扉１０Ｒ（あるいは、右の制御扉２０Ｒ）に、扉連結具３１を設けるとよい。
【産業上の利用可能性】
【００４７】
本願発明の上下分割扉は、ペットショップや動物病院、あるいは実験室といった施設に利用できるほか、ペットを飼う自宅でも利用することができる。また、制御扉を上方に配置し、自由扉を下方に配置すれば、通常は人の出入りを制限し、小動物が通行することを基本とする出入り口としても利用することができる。
【符号の説明】
【００４８】
１０    自由扉
１０Ｂ  （自由扉の）底面
１０Ｓ  （自由扉の）側面
１０Ｌ  左の自由扉
１０Ｒ  右の自由扉
２０    制御扉
２０Ｓ  （制御扉の）側面
２０Ｌ  第１の制御扉
２０Ｕ  第２の制御扉
２０Ｌ  左の制御扉
２０Ｒ  右の制御扉
３０    連結具
３０Ａ  （回転式の連結具の）表示体
３０Ｋ  （回転式の連結具の）回転軸体
３０Ｔ  （回転式の連結具の）係止体
３１    （複合式の連結具の）扉連結具
３１Ｇ  （扉連結具の）収容部
３１Ｔ  （扉連結具の）舌板
３２    （複合式の連結具の）支持体連結具
３２Ｇ  （支持体連結具の）収容部
３２Ｔ  （支持体連結具の）舌板
４１    第１支持体
４２    第２支持体
４２Ｓ  （第２支持体の）側面
５０    丁番
ＥＮ    出入口
ＧＢ    （自由扉の）底溝
ＧＵ    （自由扉の）側方溝
ＧＬ    （制御扉の）側方溝
ＧＳ    （第２支持体の）側方溝
Ｐ      （従来の鼠返しの）鼠返し板
Ｇ      （従来の鼠返しの）ガイド溝
【図１】
0006630945.tif 000002
【図２】
0006630945.tif 000003
【図３】
0006630945.tif 000004
【図４】
0006630945.tif 000005
【図５】
0006630945.tif 000006
【図６】
0006630945.tif 000007
【図７】
0006630945.tif 000008
【図８】
0006630945.tif 000009